【事件の表示】
　特願２０１５−２４２０２５号「遊技機」拒絶査定不服審判事件〔平成２９年６月１５日出願公開、特開２０１７−１０４３８３号〕について、次のとおり審決する。
【結　論】
　本件審判の請求は、成り立たない。
【理　由】
第１　手続の経緯
　本願は、平成２７年１２月１１日の出願であって、平成２８年９月１４日付け拒絶理由通知に対して、同年１１月１８日付けで手続補正がなされたところ、平成２９年４月１４日付けで拒絶査定がなされ（発送日：同年４月２５日）、これに対して、同年６月２１日に拒絶査定不服審判の請求がされるとともに、同日付けで手続補正（以下「本件補正」という。）がなされたものである。
　
第２　本件補正についての補正却下の決定
［補正却下の決定の結論］
　本件補正を却下する。
　
［理由］
　１　補正の内容
　本件補正は、特許請求の範囲を補正するものであって、特許請求の範囲の請求項１について本件補正前に、
（平成２８年１１月１８日付け手続補正）
「【請求項１】
　所定条件の成立に基づいて、遊技者にとって有利な特別遊技状態に制御するか否かを判定する判定手段を備える遊技機において、
　演出制御手段は、
　前記判定手段による判定結果に基づいて、変動演出を表示手段に表示し、可動部材の可動演出を実行可能とし、遊技者により操作可能な操作手段を制御可能とし、
　前記変動演出の実行中に前記操作手段の操作を促す場合、前記操作手段の操作を遊技者に促す第１操作促進表示演出を前記表示手段に所定期間、表示させるとともに、前記操作手段の操作を遊技者に促す第２操作促進表示演出を前記所定期間、前記操作手段に表示させ、
　前記所定期間に前記操作手段が操作された場合、操作演出を実行し、
　前記第１操作促進表示演出に少なくとも一部が重複する位置に前記可動部材を移動させた状態で前記第２操作促進表示演出を前記操作手段に表示する場合と、
　前記第１操作促進表示演出と重複しない位置に前記可動部材を移動させた状態で前記第２操作促進表示演出を前記操作手段に表示する場合とがあることを特徴とする遊技機。」
とあったものを、
　
（本件補正である平成２９年６月２１日付け手続補正）
　「【請求項１】
　所定条件の成立に基づいて、遊技者にとって有利な特別遊技状態に制御するか否かを判定する判定手段を備える遊技機において、
　演出制御手段は、
　前記判定手段による判定結果に基づいて、変動演出を表示手段に表示し、可動部材の可動演出を実行可能とし、遊技者により操作可能な操作手段を制御可能とし、
　前記変動演出の実行中
に発生する所定の有効期間において
に実行
を
実行
ることが可能であり
　前記
所定の有効
可能であり
　前記第１操作促進表示演出に少なくとも一部が重複する位置に前記可動部材を移動させた状態で
前記第１操作促進表示演出及び
実行
　前記第１操作促進表示演出と重複しない位置に前記可動部材
が配置された
前記第１操作促進表示演出及び
実行
り、
　
前記操作手段の操作に基づいて前記変動演出の結果を報知するための操作演出を実行するときに、前記第１操作促進表示演出に少なくとも一部が重複する位置に前記可動部材を移動させた状態で前記第１操作促進表示演出及び前記第２操作促進表示演出を実行可能である
と補正することを含むものである（下線部は補正箇所を示す。）。
　
　２　補正の適否
　本件補正のうち特許請求の範囲の請求項１についてする補正は、補正前の請求項１に係る発明を特定するために必要な事項である「操作促進表示演出」に関して、「前記第１操作促進表示演出に少なくとも一部が重複する位置に前記可動部材を移動させた状態で前記第２操作促進表示演出を前記操作手段に表示する場合」とあったものを「前記第１操作促進表示演出に少なくとも一部が重複する位置に前記可動部材を移動させた状態で
前記第１操作促進表示演出及び
実行
　さらに、「前記第１操作促進表示演出と重複しない位置に前記可動部材を移動させた状態で前記第２操作促進表示演出を前記操作手段に表示する場合」とあったものを「前記第１操作促進表示演出と重複しない位置に前記可動部材
が配置された
前記第１操作促進表示演出及び
実行
　補正前の請求項１に係る発明を特定するために必要な事項である「操作演出」に関して、
　「前記所定期間に前記操作手段が操作された場合、操作演出を実行し、」とあったものを「前記
所定の有効
可能であり
　「
前記操作手段の操作に基づいて前記変動演出の結果を報知するための操作演出を実行するときに、前記第１操作促進表示演出に少なくとも一部が重複する位置に前記可動部材を移動させた状態で前記第１操作促進表示演出及び前記第２操作促進表示演出を実行可能である
　さらに、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書、特許請求の範囲又は図面等の記載からみて、新規事項を追加するものではない。
　
　３　独立特許要件
　そこで、本件補正後の請求項１に係る発明（以下「本願補正発明」という。）が特許出願の際に独立して特許を受けることができるものであるか、すなわち、特許法第１７条の２第６項において準用する同法第１２６条第７項の規定に適合するかについて、以下に検討する。
　
　（１）本願補正発明
　本願補正発明は、次のとおりのものであると認める（記号Ａ〜Ｆは、分説するため当審で付した。）。
　「【請求項１】
Ａ　所定条件の成立に基づいて、遊技者にとって有利な特別遊技状態に制御するか否かを判定する判定手段を備える遊技機において、
Ｂ　演出制御手段は、
Ｂ１　前記判定手段による判定結果に基づいて、変動演出を表示手段に表示し、可動部材の可動演出を実行可能とし、遊技者により操作可能な操作手段を制御可能とし、
Ｂ２　前記変動演出の実行中に発生する所定の有効期間において前記操作手段の操作を促す場合、前記操作手段の操作を遊技者に促す第１操作促進表示演出を前記表示手段に実行させるとともに、前記操作手段の操作を遊技者に促す第２操作促進表示演出を前記操作手段に実行させることが可能であり、
Ｂ３　前記所定の有効期間に前記操作手段が操作された場合、操作演出を実行可能であり、
Ｂ４　前記第１操作促進表示演出に少なくとも一部が重複する位置に前記可動部材を移動させた状態で前記第１操作促進表示演出及び前記第２操作促進表示演出を実行する場合と、
Ｂ５　前記第１操作促進表示演出と重複しない位置に前記可動部材が配置された状態で前記第１操作促進表示演出及び前記第２操作促進表示演出を実行する場合とがあり、
Ｂ６　前記操作手段の操作に基づいて前記変動演出の結果を報知するための操作演出を実行するときに、前記第１操作促進表示演出に少なくとも一部が重複する位置に前記可動部材を移動させた状態で前記第１操作促進表示演出及び前記第２操作促進表示演出を実行可能であることを特徴とする遊技機。」
　
　（２）刊行物に記載された事項
　原査定の拒絶の理由に引用された、本願の出願前に頒布された刊行物である特開２０１５−２０８４９７号公報（以下「刊行物１」という。）には、図面とともに以下の事項が記載されている（下線部は当審で付した。以下同様。）。
　
・記載事項
　　　ア　「【技術分野】
【０００１】
　本発明は、弾球遊技機（パチンコ機）、回胴遊技機（スロットマシン）、封入式遊技機あるいはメダルレススロットマシンに代表される遊技台に関する。」
　
　　　イ　（第３実施形態）
「【５７９０】
　また、
基本回路４０２には、
チャンスボタンランプ１３８
の制御を行うための駆動回路４２０
を接続している。
・・・
【５９９７】
　図４６６（ｂ）は、チャンスボタン１３６の操作有効期間が開始された状態を示している。演出表示領域２０８ｄの中央には、チャンスボタン１３６を模した画像と、当該画像の上方には３つの矢印と、「ＰＵＳＨ！」という文字列とが表示され、当該画像の下方には操作有効期間を示すメーター画像が表示される。これらの表示は、操作促進報知の一例である。また、メーター画像は、当初全体が白色以外で表示され、時間の経過とともに白色部分が増加し、操作有効期間が終了すると全体が白色で表示されるようになっている。また、
チャンスボタン１３６の操作有効期間中、チャンスボタンランプ１３８が発光し
チャンスボタン１３６の操作を促している。
　
　　　ウ　（第４実施形態）
「【６１３７】
　球貯留皿付扉１０８は、ぱちんこ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で、且つ発射装置へと遊技球を案内する扉側球通路ユニットが設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、
遊技者の操作によって各種演出装置２０６の演出態様に変化を与えるチャンスボタン１３６と、チャンスボタン１３６を発光させるチャンスボタンランプ１３８
・・・
　＜副制御部＞
【６１６９】
　次に、ぱちんこ機１００の第１副制御部４００について説明する。
第１副制御部４００は、
主制御部３００が送信したコマンド等に基づいて
基本回路４０２を備えており、
【６１７０】
　また、
基本回路４０２には、
チャンスボタンランプ１３８
の制御を行うための駆動回路４２０
遮蔽装置２４６の駆動制御を行うための駆動回路４３２と
表示画像を
装飾図柄表示装置２０８に画像を表示するＶＤＰ４３４
と
を接続している。
・・・
【６１８３】
　図４８０（ｂ）は装飾図柄の一例を示したものである。本実施形態の装飾図柄には、「装飾１」〜「装飾１０」の１０種類がある。
第１特図始動口２３０または第２特図始動口２３２に球が入賞したこと、
条件にして、装飾図柄表示装置２０８の左図柄表示領域２０８ａ、中図柄表示領域２０８ｂ、右図柄表示領域２０８ｃの各図柄表示領域に、
装飾図柄の変動表示
を行う。
　
　　　エ　「＜第１副制御部４００の処理＞
【６２７１】
　次に、図４９０を用いて、第１副制御部４００の処理について説明する。なお、同図（ａ）は、第１副制御部４００のＣＰＵ４０４が実行するメイン処理のフローチャートである。同図（ｂ）は、第１副制御部４００のコマンド受信割込処理のフローチャートである。同図（ｃ）は、第１副制御部４００のタイマ割込処理のフローチャートである。同図（ｄ）は、第１副制御部４００の画像制御処理のフローチャートである。
【６２７２】
　まず、同図（ａ）のステップＳ３０１では、各種の初期設定を行う。電源投入が行われると、まずステップＳ３０１で初期化処理が実行される。この初期化処理では、入出力ポートの初期設定や、ＲＡＭ４０８内の記憶領域の初期化処理等を行う。ステップＳ３０３では、タイマ変数が１０以上か否かを判定し、タイマ変数が１０となるまでこの処理を繰り返し、タイマ変数が１０以上となったときには、ステップＳ３０５の処理に移行する。ステップＳ３０５では、タイマ変数に０を代入する。ステップＳ３０７では、コマンド処理を行う。第１副制御部４００のＣＰＵ４０４は、
主制御部３００からコマンドを受信した
【６２７３】
　ステップＳ３０９では、演出制御処理を行う。例えば、ステップＳ３０７で新たなコマンドがあった場合には、このコマンドに対応する演出データをＲＯＭ４０６から読み出す等の処理を行い、演出データの更新が必要な場合には演出データの更新処理を行う。ステップＳ３１１では、チャンスボタン１３６や設定操作部１３７などの操作手段の押下を検出していた場合、ステップＳ３０９で更新した演出データを操作手段の押下に応じた演出データに変更する処理を行う。ステップＳ３１３では、ステップＳ３０９で読み出した演出データの中にＶＤＰ４３４への命令がある場合には、この命令をＶＤＰ４３４に出力する（詳細は後述）。
【６２７４】
　ステップＳ３１５では、ステップＳ３０９で読み出した演出データの中に音源ＩＣ４１６への命令がある場合には、この命令を音源ＩＣ４１６に出力する。ステップＳ３１７では、ステップＳ３０９で読み出した演出データの中に各種ランプ４１８への命令がある場合には、この命令を駆動回路４２０に出力する。ステップＳ３１９では、ステップＳ３０９で読み出した演出データ
の中に遮蔽装置２４６への命令がある場合には、この命令を駆動回路４３２に出力する。
・・・
【６３００】
　ステップＳ１１０１では、
主制御部３００から受信したコマンド
に含まれる大当りフラグの値を参照し
　
　　　オ　「＜操作手段画像表示実施例７＞
【６３６９】
　次に、図５０３を用いて、上述の操作手段画像表示処理によって行われる操作手段画像表示の実施例７について説明する。なお、同図は、
実施例７の操作手段画像表示を時系列に示した図である。
【６３７０】
　同図（ａ）に示すタイミングでは、
チャンスボタン１３６の操作の受付期間
の開始タイミングが到来したことを契機として、チャンスボタン１３６の１回目の操作に対応する第１の操作手段画像ＢＧ１（この例では、チャンスボタンを模した画像）を装飾図柄表示装置２０８
に表示している。
【６３７１】
　また、この
第１の操作手段画像ＢＧ１の表示とほぼ同じタイミングで、チャンスボタン１３６の操作の受付期間の経過時間を報知するための第１の経過時間報知画像ＴＧ１−１
を、
第１の操作手段画像ＢＧ１の下方に表示している。
　
　　　カ　「＜操作手段画像表示の実施例９＞
【６３８９】
　次に、図５０５を用いて、上述の操作手段画像表示処理によって行われる操作手段画像表示の実施例９について説明する。なお、同図は、実施例９の操作手段画像表示を時系列に示した図である。本実施例では、操作手段画像表示に加えて、保留アイコンおよび変動アイコンの表示を行うように構成している。
・・・
【６４００】
　同図（ｆ）は、同図（ｃ）に示す状態、すなわち、
チャンスボタン１３６の操作の受付期間の開始タイミングから所定時間
が経過する前の状態において、チャンスボタン１３６の操作が行われた
ことから、第１の操作手段画像ＢＧ１
を消去した後に、当該特図変動の当否結果を示唆する情報（
「リーチじゃ！」という文字情報）を変動アイコンＣＩの後方に表示している。
　
　　　キ 「＜操作手段画像表示の実施例１９＞
【６４８１】
　次に、図５１８を用いて、上述の操作手段画像表示処理によって行われる操作手段画像表示の実施例１９について説明する。なお、同図は、実施例１９の操作手段画像表示を時系列に示した図である。
【６４８２】
　本実施例では、同図（ａ）、（ｂ）に示すように、装飾図柄表示装置２０８の表示領域内に、特図１第４図柄表示領域２０８ｅと特図２第４図柄表示領域２０８ｆを設けている。この特図１第４図柄表示領域２０８ｅは、特図１変動遊技の当否結果を表示し、特図２第４図柄表示領域２０８ｆは、特図２変動遊技の当否結果を表示する領域であり、例えば、特図変動遊技中（特図の変動中）は菱形の図形を点滅表示する。
【６４８３】
　同図（ｃ）に示すタイミングは、
同図（ｂ）
このタイミングでは、遮蔽装置２４６の右扉２４６ｂを閉じる方向に移動し、当該右扉２４６ｂで第１の操作手段画像ＢＧ１
の一部
を覆うことにより、第１の操作手段画像ＢＧ１
の一部
が視認不能または視認困難な状態となるように構成している。
　
　　　ク　「（付記Ｈ１１）
【７９７５】
　遊技球が進入可能な複数の進入領域と、前記複数の進入領域のうち、第一の進入領域を少なくとも含む
所定の進入領域に遊技球が進入した場合に、
当否判定を実行可能な当否判定手段
を備えた遊技台であって、
　
　　　ケ　「【８０１２】
　なお、以上説明した各実施形態や付記の記載それぞれにのみ含まれている構成要件であっても、その構成要件を他の実施形態や付記に適用してもよい。」
　
・認定事項
　　　ア　認定ア
　第４実施形態のうち操作手段画像表示に関する実施例７（【図５０３】）について、【６３７０】に「チャンスボタン１３６の操作の受付期間・・・の開始タイミングが到来したことを契機として、チャンスボタン１３６の・・・操作に対応する第１の操作手段画像ＢＧ１（・・・チャンスボタンを模した画像）を装飾図柄表示装置２０８・・・に表示している。」ことが記載されている。
　そして、第４実施形態のうち操作手段画像表示に関する実施例１９について、装飾図柄表示装置２０８に変動中の装飾図柄の表示に加えて、【図５０３】と同様の操作手段画像ＢＧ１が表示されている状態が【図５１８】（ｂ）に図示されている。
　また、【６４８３】には、【図５１８】（ｂ）に示すチャンスボタン１３６の操作の受付開始タイミングから所定時間が経過したタイミングにおいて、「第１の操作手段画像ＢＧ１」が表示されている状態が示されている。
　したがって、刊行物１には、第４実施形態のうち操作手段画像表示に関する実施例１９として、「
装飾図柄の変動表示中にチャンスボタン１３６の操作の受付期間の開始タイミングが到来したことを契機として、チャンスボタン１３６の操作に対応する第１の操作手段画像ＢＧ１（チャンスボタンを模した画像）を装飾図柄表示装置２０８に表示する
　
　　　イ　認定イ
　第４実施形態のうち操作手段画像表示に関する実施例９（【図５０５】）について、【６４００】に「同図（ｆ）は、・・・チャンスボタン１３６の操作の受付期間の開始タイミングから所定時間・・・が経過する前の状態において、チャンスボタン１３６の操作が行われた・・・ことから、第１の操作手段画像ＢＧ１・・・を消去した後に、当該特図変動の当否結果を示唆する情報（・・・「リーチじゃ！」という文字情報）を変動アイコンＣＩの後方に表示している。」ことが記載されている。
　そして、第４実施形態のうち操作手段画像表示に関する実施例１９について、装飾図柄表示装置２０８に変動中の装飾図柄の表示に加えて、遮蔽装置２４６の右扉２４６ｂの後方に【図５０５】（ｇ）と同様の「リーチじゃ！」という文字情報が表示されている状態が【図５１８】（ｅ）に図示されている。
　したがって、刊行物１には、第４実施形態のうち操作手段画像表示に関する実施例１９として、「
チャンスボタン１３６の操作の受付期間の開始タイミングから所定時間が経過する前の状態において、チャンスボタン１３６の操作が行われた場合、第１の操作手段画像ＢＧ１を消去した後に、当該特図変動の当否結果を示唆する情報（「リーチじゃ！」という文字情報）を変動アイコンＣＩの後方に表示する
　
　　　ウ　認定ウ
　第４実施形態のうち操作手段画像表示に関する実施例１９について、【図５１８】（ｂ）において装飾図柄表示装置２０８に表示されている内容は、同図（ｃ）における「遮蔽装置２４６の右扉２４６ｂを閉じる方向に移動」する前である、「遮蔽装置２４６の右扉２４６ｂが閉じる前の開いた状態」に関する内容であるといえる。
　そして、同図（ｂ）には、装飾図柄表示装置２０８に「第１の操作手段画像ＢＧ１」が視認可能な状態で表示されていることが図示されている。
　したがって、刊行物１には、第４実施形態のうち操作手段画像表示に関する実施例１９として、「
遮蔽装置２４６の右扉２４６ｂが閉じる前の開いた状態では、第１の操作手段画像ＢＧ１を視認可能である
　
　　　エ　認定エ
　上記認定イと同様に、第４実施形態のうち操作手段画像表示に関する実施例９（【図５０５】）について、【６４００】に「同図（ｆ）は、・・・チャンスボタン１３６の操作の受付期間の開始タイミングから所定時間・・・が経過する前の状態において、チャンスボタン１３６の操作が行われた・・・ことから、第１の操作手段画像ＢＧ１・・・を消去した後に、当該特図変動の当否結果を示唆する情報（・・・「リーチじゃ！」という文字情報）を変動アイコンＣＩの後方に表示している。」ことが記載されている。
　そして、第４実施形態のうち操作手段画像表示に関する実施例１９について、装飾図柄表示装置２０８に、変動中の装飾図柄の表示に加えて、遮蔽装置２４６の右扉２４６ｂの後方に【図５０５】（ｇ）と同様の「リーチじゃ！」という文字情報が表示されている状態が【図５１８】（ｅ）に図示されている。
　したがって、刊行物１には、第４実施形態のうち操作手段画像表示に関する実施例１９として、「
遮蔽装置２４６の右扉２４６ｂが閉じた状態において、チャンスボタン１３６の操作が行われた場合、第１の操作手段画像ＢＧ１を消去した後に、当該特図変動の当否結果を示唆する情報（「リーチじゃ！」という文字情報）を変動アイコンＣＩの後方に表示
　
・刊行物発明
　上記ア〜ケの記載事項、及び、上記ア〜エの認定事項を総合すると、刊行物１には、第４実施形態（【６１３３】〜【６５３１】）のうち操作手段画像表示に関する実施例１９（【６４８１】〜【６４８６】）を中心に次の発明（以下「刊行物発明」という。）が記載されていると認められる（記号ａ〜ｂ６は、本願補正発明の記号Ａ〜Ｂ６に対応させて付した。）。
　
「ａ　所定の進入領域に遊技球が進入した場合に、当否判定を実行可能な当否判定手段を備えた遊技台であって（【７９７５】）、
　
ｂ　第１副制御部４００は、
ｂ１　ＶＤＰ４３４により、第１特図始動口２３０または第２特図始動口２３２に球が入賞したことを条件にして、装飾図柄表示装置２０８の左図柄表示領域２０８ａ、中図柄表示領域２０８ｂ、右図柄表示領域２０８ｃの各図柄表示領域に、装飾図柄の変動表示を行い（【６１７０】、【６１８３】）、
　主制御部３００から受信した大当りフラグの値を含むコマンドの中に遮蔽装置２４６への命令がある場合には、この命令を遮蔽装置２４６の駆動制御を行うための駆動回路４３２に出力し（【６３００】、【６１７０】、【６２７２】、【６２７４】）、
　主制御部３００が送信したコマンド等に基づいて、駆動回路４２０によりチャンスボタンランプ１３８の制御を行い（【６１３７】、【６１７０】）、
　
ｂ２　装飾図柄の変動表示中にチャンスボタン１３６の操作の受付期間の開始タイミングが到来したことを契機として、チャンスボタン１３６の操作に対応する第１の操作手段画像ＢＧ１（チャンスボタンを模した画像）を装飾図柄表示装置２０８に表示し（認定ア）、
　
ｂ３　チャンスボタン１３６の操作の受付期間の開始タイミングから所定時間が経過する前の状態において、チャンスボタン１３６の操作が行われた場合、第１の操作手段画像ＢＧ１を消去した後に、当該特図変動の当否結果を示唆する情報（「リーチじゃ！」という文字情報）を変動アイコンＣＩの後方に表示し（認定イ）、
　
ｂ４　遮蔽装置２４６の右扉２４６ｂを閉じる方向に移動し、当該右扉２４６ｂで第１の操作手段画像ＢＧ１の一部を覆うことにより、第１の操作手段画像ＢＧ１の一部が視認不能または視認困難な状態となるように構成し（【６４８３】）、
　
ｂ５　遮蔽装置２４６の右扉２４６ｂが閉じる前の開いた状態では、第１の操作手段画像ＢＧ１を視認可能であり（認定ウ）、
　
ｂ６　遮蔽装置２４６の右扉２４６ｂが閉じた状態において、チャンスボタン１３６の操作が行われた場合、第１の操作手段画像ＢＧ１を消去した後に、当該特図変動の当否結果を示唆する情報（「リーチじゃ！」という文字情報）を変動アイコンＣＩの後方に表示し（認定エ）、
た遊技台。」
　
　そして、刊行物１には、第３の実施の形態（【５７５０】〜【６１３２】）に関する技術事項として、「チャンスボタン１３６の操作有効期間中、チャンスボタンランプ１３８が発光し、チャンスボタン１３６の操作を促すこと（【５９９７】）。」が記載されている（以下「刊行物１に記載された技術事項」という。）。
　
　（３）対比
　本願補正発明と刊行物発明とを対比する（対比にあたっては、本願補正発明の構成Ａ〜Ｂ６と刊行物発明の構成ａ〜ｂ６について、それぞれ（ａ）〜（ｂ６）の見出しを付けて行った。）。
　
　（ａ）刊行物発明における「所定の進入領域に遊技球が進入した場合」、「当否判定を実行可能な当否判定手段」、「遊技台」は、それぞれ、本願補正発明における「所定条件の成立に基づ」くこと、「遊技者にとって有利な特別遊技状態に制御するか否かを判定する判定手段」、「遊技機」に相当する。
　したがって、刊行物発明における構成ａは、本願補正発明における構成Ａに相当する。
　
　（ｂ、ｂ１）刊行物発明における「第１副制御部４００」は、本願補正発明における「演出制御手段」に相当する。
　そして、刊行物発明において、「第１特図始動口２３０または第２特図始動口２３２に球が入賞」すると、構成ａにより「当否判定」が実行されることから、刊行物発明における「第１特図始動口２３０または第２特図始動口２３２に球が入賞したことを条件に」することは、本件補正発明の「判定手段による判定結果に基づ」くことに相当する。
　また、刊行物発明における「装飾図柄表示装置２０８の左図柄表示領域２０８ａ、中図柄表示領域２０８ｂ、右図柄表示領域２０８ｃの各図柄表示領域に、装飾図柄の変動表示を行」うことは、本願補正発明における「変動演出を表示手段に表示」することに相当する。
　また、刊行物発明における「主制御部３００から受信した大当りフラグの値を含むコマンドの中に遮蔽装置２４６への命令がある場合」は、「大当りフラグの値を含むコマンドの中」には、当否判定の結果を示すコマンドが含まれることから、本願補正発明における「判定手段による判定結果に基づ」くことに相当する。
　また、刊行物発明における「この命令を遮蔽装置２４６の駆動制御を行うための駆動回路４３２に出力」することは、本願補正発明における「可動部材の可動演出を実行可能と」することに相当する。
　また、刊行物発明における「主制御部３００が送信したコマンド等に基づいて」は、「主制御部３００が送信したコマンド」には、当否判定の結果を示すコマンドが含まれることから、本願補正発明における「判定手段による判定結果に基づ」くことに相当する。　
　さらに、刊行物発明における「駆動回路４２０により、チャンスボタンランプ１３８の制御を行」うことは、本願補正発明における「遊技者により操作可能な操作手段を制御可能」とすることに相当する。
　したがって、刊行物発明における構成ｂ、ｂ１は、本願補正発明における構成Ｂ、Ｂ１に相当する。
　
　（ｂ２）刊行物発明における「第１の操作手段画像ＢＧ１（チャンスボタンを模した画像）を装飾図柄表示装置２０８に表示」させることは、遊技者に「チャンスボタン１３６の操作」が可能であることを知らせることにより、操作を促進させる作用を奏するものである。
　ここで、刊行物発明における「チャンスボタン１３６の操作の受付期間」は、本願補正発明における「所定の有効期間」に相当する。
　そうすると、刊行物発明における「装飾図柄の変動表示中にチャンスボタン１３６の操作の受付期間の開始タイミングが到来したことを契機と」することは、本願補正発明における「変動演出の実行中に発生する所定の有効期間において操作手段の操作を促す場合」に相当する。
　同様に、刊行物発明における「チャンスボタン１３６の１回目の操作に対応する第１の操作手段画像ＢＧ１を装飾図柄表示装置２０８に表示」することは、本願補正発明における「操作手段の操作を遊技者に促す第１操作促進表示演出を表示手段に実行させる」に相当する。
　そして、刊行物発明における「・・・画像ＢＧ１を装飾図柄表示装置２０８に表示」することは、本願補正発明における「・・・表示演出を表示手段に実行させる」ことに相当する。
　したがって、刊行物発明における構成ｂ２と、本願補正発明における構成Ｂ２とは、「変動演出の実行中に発生する所定の有効期間において操作手段の操作を促す場合、操作手段の操作を遊技者に促す第１操作促進表示演出を表示手段に実行させることが可能であ」る点で共通する。
　
　（ｂ３）刊行物発明における「チャンスボタン１３６の操作の受付期間の開始タイミングから所定時間が経過する前の状態において、チャンスボタン１３６の操作が行われた場合」は、本願補正発明における「所定の有効期間に操作手段が操作された場合」に相当する。
　そして、刊行物発明における「当該特図変動の当否結果を示唆する情報（「リーチじゃ！」という文字情報）を変動アイコンＣＩの後方に表示」することは、本願補正発明における「操作演出を実行可能」であることに相当する。
　したがって、刊行物発明における構成ｂ３は、本願補正発明における構成Ｂ３に相当する。
　
　（ｂ４）刊行物発明における「遮蔽装置２４６の右扉２４６ｂ」は、開閉可能なものであるから、本願補正発明における「可動部材」に相当する。
　そうすると、刊行物発明における「遮蔽装置２４６の右扉２４６ｂを閉じる方向に移動し、当該右扉２４６ｂで第１の操作手段画像ＢＧ１の一部を覆う」ことは、本願補正発明における「第１操作促進表示演出に少なくとも一部が重複する位置に可動部材を移動させた状態」に相当する。
　そして、刊行物発明において、「遮蔽装置２４６の右扉２４６ｂ」が「閉じる方向に移動し」たとき、「第１の操作手段画像ＢＧ１の一部が視認不能または視認困難な状態となる」ことは、上記構成ｂ２によると、「第１の操作手段画像ＢＧ１１（チャンスボタンを模した画像）」が、「装飾図柄表示装置２０８に表示」されたままの状態であることを意味する。
　したがって、刊行物発明における構成ｂ４と、本願補正発明における構成Ｂ４とは、「第１操作促進表示演出に少なくとも一部が重複する位置に可動部材を移動させた状態で第１操作促進表示演出を実行する場合」がある点で共通する。
　
　（ｂ５）刊行物発明における「遮蔽装置２４６の右扉２４６ｂが閉じる前の開いた状態」は、本願補正発明における「第１操作促進表示演出と重複しない位置に前記可動部材が配置された状態」に相当する。
　そして、刊行物発明における「第１の操作手段画像ＢＧ１を視認可能で」あることは、本願補正発明における「第１操作促進表示演出」「を実行する場合」があることに相当する。
　したがって、刊行物発明における構成ｂ５と、本願補正発明における構成Ｂ５とは、「第１操作促進表示演出と重複しない位置に可動部材が配置された状態で第１操作促進表示演出」「を実行する場合」がある点で共通する。
　
　（ｂ６）まず、本願補正発明における構成Ｂ６中の「操作演出を実行するとき」の技術的意義について検討する。
　「操作演出」に関して、審判請求書において、構成Ｂ６の補正の根拠箇所と主張する本願明細書には、　
「【０８５２】
　図８０の（ｅ−３−２）は、「決め演出Ｂ１」の例を示している。サブＣＰＵ１０２ａは、「決め演出Ｂ１」を実行する場合、「特別キャラリーチＢ２−１」において、操作手段である演出ボタン１８Ａの操作を有効とする操作有効期間Ｘ５２を設定する。サブＣＰＵ１０２ａは、操作有効期間Ｘ５２において、突出状態の演出ボタン１８Ａへの操作を促す操作促進報知の画像を含む演出画像（図８０の（ｅ−３−２））を表示する演出を実行する。
【０８５３】
　サブＣＰＵ１０２ａは、この「決め演出Ｂ１」において、操作有効期間Ｘ５２中に演出ボタン１８Ａに対して１回の押下操作がされることに基づいて、図８０の（ｅ−３−３）（ここで、当審により「ｅ−３−３」は「ｅ−３−４」の誤記と認める。）に示すように、「閃光ｂ１」の演出画像を画像表示装置１４に表示するとともに、第１装飾部材１７Ａを「待機位置１」から「動作位置１−１」を経由して、画像表示装置１４の前面の下側の位置である「動作位置１−２」まで移動させる、といった内容の「決め演出」（対応演出）を実行する。」こと、
「【１０２４】
　次にサブＣＰＵ１０２ａは、操作有効期間の開始０．０秒から開始０．５秒までに演出ボタン１８Ａが操作されないと、図９２の（ｎ−１−３）に示すように、操作有効期間の開始０．５秒が経過すると、可動部材として第２装飾部材１７Ｂを「待機位置２」から「動作位置２−１」に移動させて画像表示装置１４のボタン操作促進画像（第１操作促進表示）の前面側に重複させると共に、所定の演出音を出力する演出制御を行う。尚、第２装飾部材１７Ｂによってボタン操作促進画像が完全に隠れるようにしたが、ボタン操作促進画像の一部が視認可能となるようにしてもよい。
【１０２５】
　ここで、図９２の（ｎ−１−４）に示すように、第２装飾部材１７Ｂを第１操作促進表示の前面側に重複させてから操作有効期間の開始１．５秒までに、演出ボタン１８Ａが操作されると、サブＣＰＵ１０２ａは、ランブ制御基板１０４及び画像制御基板１０５に、操作演出を実行させるためのコマンドを送信する。これにより、サブＣＰＵ１０２ａは、図９３の（ｎ−１−５）に示すように、第２装飾部材１７Ｂを「動作位置２−１」から「待機位置２」に移動させる。この後、サブＣＰＵ１０２ａは、図９３の（ｎ−１−６）に示すように、操作対応演出として、「待機位置２」から「動作位置２」に移動させ、表示装置１４の画面にエフェクトａ４を表示させると共に、所定の演出音を出力する演出制御を行う。この操作対応演出が終了すると、サブＣＰＵ１０２ａは、変動演出パターンＡ０３６におけるスペシャルリーチの演出制御を行う。」こと、及び、
「【１０７５】
　また、決め演出（図８０の（ｅ−３−２）参照）の演出ボタン１８Ａの操作有効期間中では、図９２に示した可動部材（第２装飾部材１７Ｂ）を第１操作促進表示の前面側に重複する位置に移動させても、移動させなくてもよい。」ことが記載されている。
　すなわち、上記【０８５２】、【０８５３】には、演出画像の例を示す【図８０】に関して、「決め演出Ｂ１」として、演出ボタン１８Ａへの操作を促す操作促進報知の画像を含む演出画像（図８０の（ｅ−３−２））を表示する演出を実行した後に、「閃光ｂ１」の演出画像を画像表示装置１４に表示するとともに、第１装飾部材１７Ａを移動させる「決め演出」（図８０の（ｅ−３−４））を実行することが記載され、
　上記【１０２４】、【１０２５】には、同じく、演出画像の他の例を示す【図９１】〜【０９５】に関して、操作有効期間の開始０．５秒が経過すると、第２装飾部材１７Ｂを「待機位置２」から「動作位置２−１」に移動させて画像表示装置１４のボタン操作促進画像の前面側に重複させ（【図９２】のｎ−１−３）、重複後、操作有効期間の開始１．５秒までに、演出ボタン１８Ａが操作されると（【図９２】のｎ−１−４）、第２装飾部材１７Ｂを「動作位置２−１」から「待機位置２」に移動させ（【図９３】の（ｎ−１−５））、表示装置１４の画面にエフェクトａ４を表示させると共に、所定の演出音を出力する演出制御を行う（【図９３】の（ｎ−１−６））ことが記載され、
　上記【１０７５】には、「決め演出」（【図８０】の（ｅ−３−２））の演出ボタン１８Ａの操作有効期間中では、【図９２】に示した可動部材（第２装飾部材１７Ｂ）を第１操作促進表示の前面側に重複する位置に移動させてもよいことが示唆されている。
　そうすると、本願補正発明の構成Ｂ６に関して、本願明細書及び図面には、演出ボタン１８Ａの操作有効期間中では、【図９２】に示した可動部材（第２装飾部材１７Ｂ）を第１操作促進表示の前面側に重複する位置に移動させた
後
　したがって、本願補正発明の構成６は、「前記操作手段の操作に基づいて前記変動演出の結果を報知するための操作演出を
実行する前
　
　そこで、本件補正発明の構成Ｂ６が上記のとおり解釈できるものとして、以下検討を進める。
　刊行物発明において、「遮蔽装置２４６の右扉２４６ｂが閉じた状態において」は、「第１の操作手段画像ＢＧ１」が表示された状態から「消去された状態」に状態が変化するものである。
　そうすると、刊行物発明における「遮蔽装置２４６の右扉２４６ｂが閉じた状態」で、かつ、「第１の操作手段画像ＢＧ１」が表示された状態と、本願補正発明における「第１操作促進表示演出に少なくとも一部が重複する位置に可動部材を移動させた状態で第１操作促進表示演出及び第２操作促進表示演出を実行」する状態とは、「第１操作促進表示演出に少なくとも一部が重複する位置に可動部材を移動させた状態で第１操作促進表示演出を実行」する状態である点で共通する。
　そして、刊行物発明における「チャンスボタン１３６の操作が行われた場合」は、本願補正発明における「操作手段の操作に基づ」くことに相当する。
　
　よって、刊行物発明における構成ｂ６と、本願補正発明における構成Ｂ６とは、「操作手段の操作に基づいて変動演出の結果を報知するための操作演出を実行するときに、第１操作促進表示演出に少なくとも一部が重複する位置に可動部材を移動させた状態で第１操作促進表示演出を実行可能である」ことで共通する。
　
　上記（ａ）〜（ｂ６）の検討により、本願補正発明と刊行物発明とは、
［一致点］
「Ａ　所定条件の成立に基づいて、遊技者にとって有利な特別遊技状態に制御するか否かを判定する判定手段を備える遊技機において、
Ｂ　演出制御手段は、
Ｂ１　前記判定手段による判定結果に基づいて、変動演出を表示手段に表示し、可動部材の可動演出を実行可能とし、遊技者により操作可能な操作手段を制御可能とし、
Ｂ２’前記変動演出の実行中に発生する所定の有効期間において前記操作手段の操作を促す場合、前記操作手段の操作を遊技者に促す第１操作促進表示演出を前記表示手段に実行させることが可能であり、
Ｂ３　前記所定の有効期間に前記操作手段が操作された場合、操作演出を実行可能であり、
Ｂ４’前記第１操作促進表示演出に少なくとも一部が重複する位置に前記可動部材を移動させた状態で前記第１操作促進表示演出を実行する場合と、
Ｂ５’前記第１操作促進表示演出と重複しない位置に前記可動部材が配置された状態で前記第１操作促進表示演出を実行する場合とがあり、
Ｂ６’前記操作手段の操作に基づいて前記変動演出の結果を報知するための操作演出を実行するときに、前記第１操作促進表示演出に少なくとも一部が重複する位置に前記可動部材を移動させた状態で前記第１操作促進表示演出を実行可能である遊技機。」
である点で一致し、構成Ｂ２、Ｂ４〜Ｂ６に関して次の点で相違する。
　
［相違点１］（構成Ｂ２）
　変動演出の実行中に発生する所定の有効期間において操作手段の操作を促す場合に実行される操作促進表示演出に関して、
　本願補正発明は、第１操作促進表示演出を表示手段に実行させるとともに、操作手段の操作を遊技者に促す第２操作促進表示演出を操作手段に実行させることが可能であるのに対して、
　刊行物発明は、第１操作促進表示演出を表示手段に実行させることが可能であるが、操作手段の操作を遊技者に促す第２操作促進表示演出を操作手段に実行させることが可能であるか否か明らかでない点。
　
［相違点２］（構成Ｂ４、Ｂ５）
　第１操作促進表示演出に少なくとも一部が重複する位置に可動部材を移動させた状態、及び、第１操作促進表示演出と重複しない位置に可動部材が配置された状態で実行される操作促進表示演出に関して、
　本願補正発明は、第１操作促進表示演出及び第２操作促進表示演出であるのに対して、
　刊行物発明は、第１操作促進表示演出は実行されるが、第２操作促進演出が実行されるか否か明らかでない点。
　
［相違点３］（構成Ｂ６）
　操作演出を実行するときに、第１操作促進表示演出に少なくとも一部が重複する位置に可動部材を移動させた状態で実行可能である操作促進表示演出が、
　本願補正発明は、第１操作促進表示演出及び第２操作促進表示演出であるのに対して、
　刊行物発明は、第１操作促進表示演出は実行可能であるが、第２操作促進演出を実行可能であるか否か明らかでない点。
　
　（４）当審における判断
　　　ア　相違点１〜３について
　上記相違点１〜３は、操作促進表示演出に関するものであり互いに関連する構成であるのでまとめて検討する。
　刊行物１に記載された技術事項の「チャンスボタン１３６の操作有効期間中、チャンスボタンランプ１３８が発光し、チャンスボタン１３６の操作を促すこと」は、本願補正発明における構成Ｂ２の「変動演出の実行中に発生する所定の有効期間において操作手段の操作を促す場合」、「操作手段の操作を遊技者に促す第２操作促進表示演出を操作手段に実行させることが可能」であることに相当する。
　そして、刊行物１には、上記（２）の記載事項ケには、「以上説明した各実施形態や付記の記載それぞれにのみ含まれている構成要件であっても、その構成要件を他の実施形態や付記に適用してもよい。」ことが記載されている。この記載によると、第４実施形態に第３の実施の形態を適用することが可能であることが示唆されている。
　また、刊行物発明において、「チャンスボタン１３６のチャンスボタンランプ１３８」は、「第１副制御部４００」が「駆動回路４２０により」制御するものである。
　したがって、刊行物発明に刊行物１に記載された技術事項を適用して、「第１副制御部４００」が「チャンスボタン１３６の操作の受付期間」に「第１の操作手段画像ＢＧ１を装飾図柄表示装置２０８に表示」させることに加えて、チャンスボタン１３６のチャンスボタンランプ１３８を発光可能とし。上記相違点１に係る本願補正発明の構成とし、
　加えて、第１操作促進表示演出に少なくとも一部が重複する位置に可動部材を移動させた状態、及び、第１操作促進表示演出と重複しない位置に可動部材が配置された状態で、第１操作促進表示演出、及び、「チャンスボタン１３６のチャンスボタンランプ１３８を発光させる」演出（第２操作促進表示演出）を実行し、上記相違点２に係る本願補正発明の構成とし、
　加えて、操作演出を実行するときに、第１操作促進表示演出に少なくとも一部が重複する位置に可動部材を移動させた状態で、第１操作促進表示演出、及び、「チャンスボタン１３６のチャンスボタンランプ１３８を発光させる」演出（第２操作促進表示演出）を実行可能とし、上記相違点３に係る本願補正発明の構成とすることは、当業者が容易になし得たものである。
　
　　　イ　請求人の主張について
　請求人は、審判請求書において、「（４）本願発明と引用発明及び引用事項との対比
　補正後の請求項１に係る発明の遊技機では、・・・遊技者にとっては特に重要な変動演出の結果を報知するための
操作演出（所謂決め演出）の実行前から可動部材を移動させている
　しかしながら、引用文献１、２には、前記操作手段の操作に基づいて前記変動演出の結果を報知するための操作演出を実行するときに、前記第１操作促進表示演出に少なくとも一部が重複する位置に前記可動部材を移動させた状態で前記第１操作促進表示演出を行なうことを示す記載はありません。従って、引用発明１、２を組み合わせた遊技機では、上述した作用効果を奏することはできません。」（第７頁第１０〜２７行。下線は当審により付与した。）と主張する。
　
　しかしながら、請求人が主張する本願補正発明が有する「
操作演出（所謂決め演出）の実行前から可動部材を移動させている
　一方、刊行物発明は、「遮蔽装置２４６の右扉２４６ｂが閉じる前の開いた状態では、第１の操作手段画像ＢＧ１を視認可能であ」るから、上記主張において、本願補正発明が有するとする「可動部材が待機位置に配置された状態で第１操作促進表示演出及び第２操作促進表示演出が実行される場合」に相当する構成を刊行物発明も有するものである。
　そうすると、刊行物発明においても、本願補正発明と同様に、上記「可動部材が待機位置に配置された状態で第１操作促進表示演出及び第２操作促進表示演出が実行される場合との対比効果によって、遊技の興趣を効果的に向上させることが可能とな」るという作用効果が奏されることは明らかである。
　よって、請求人の上記主張を採用することはできない。
　
　（５）まとめ
　本願補正発明により奏される効果は、刊行物発明及び刊行物１に記載された技術事項から当業者が予測できる効果の範囲内のものであり、新たな効果を奏するものでなない。
　よって、上記（４）において検討したとおり、本願補正発明は、刊行物発明及び刊行物１に記載された技術事項に基づいて当業者が容易に発明をすることができたものであるから、特許法第２９条第２項の規定により、特許出願の際に独立して特許を受けることができないものである。
　
　４　むすび
　上記１〜３より、本願補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明は、平成２８年１１月２８日付け手続補正書により補正された特許請求の範囲の請求項１に記載されたとおりのものであるところ、その請求項１に係る発明（以下「本願発明」という。）は、次のとおりのものと認める。
「【請求項１】
Ａ　所定条件の成立に基づいて、遊技者にとって有利な特別遊技状態に制御するか否かを判定する判定手段を備える遊技機において、
Ｂ　演出制御手段は、
Ｂ１　前記判定手段による判定結果に基づいて、変動演出を表示手段に表示し、可動部材の可動演出を実行可能とし、遊技者により操作可能な操作手段を制御可能とし、
Ｂ２　前記変動演出の実行中に前記操作手段の操作を促す場合、前記操作手段の操作を遊技者に促す第１操作促進表示演出を前記表示手段に所定期間、表示させるとともに、前記操作手段の操作を遊技者に促す第２操作促進表示演出を前記所定期間、前記操作手段に表示させ、
Ｂ３　前記所定期間に前記操作手段が操作された場合、操作演出を実行し、
Ｂ４　前記第１操作促進表示演出に少なくとも一部が重複する位置に前記可動部材を移動させた状態で前記第２操作促進表示演出を前記操作手段に表示する場合と、
Ｂ５　前記第１操作促進表示演出と重複しない位置に前記可動部材を移動させた状態で前記第２操作促進表示演出を前記操作手段に表示する場合とがあることを特徴とする遊技機。」
　
　２　刊行物に記載された事項
　原査定の拒絶の理由に引用された刊行物１の記載事項及び刊行物発明の認定については、上記「第２［理由］３（２）刊行物に記載された事項」に記載したとおりである。
　
　３　対比・判断 
　本願発明は、上記「第２［理由］」で検討した本願補正発明から、「操作促進表示演出」に関して、「前記第１操作促進表示演出に少なくとも一部が重複する位置に前記可動部材を移動させた状態で
前記第１操作促進表示演出及び
実行
　さらに、「前記第１操作促進表示演出と重複しない位置に前記可動部材
が配置された
前記第１操作促進表示演出及び
実行
　「操作演出」に関して、
　「前記
所定の有効
可能であり
　さらに、「
前記操作手段の操作に基づいて前記変動演出の結果を報知するための操作演出を実行するときに、前記第１操作促進表示演出に少なくとも一部が重複する位置に前記可動部材を移動させた状態で前記第１操作促進表示演出及び前記第２操作促進表示演出を実行可能である
　
　そうすると、本願補正発明における上記各限定を省き、構成Ｂ６を備えない本願発明と刊行物発明とは、
「【請求項１】
Ａ　所定条件の成立に基づいて、遊技者にとって有利な特別遊技状態に制御するか否かを判定する判定手段を備える遊技機において、
Ｂ　演出制御手段は、
Ｂ１　前記判定手段による判定結果に基づいて、変動演出を表示手段に表示し、可動部材の可動演出を実行可能とし、遊技者により操作可能な操作手段を制御可能とし、
Ｂ２’’前記変動演出の実行中に前記操作手段の操作を促す場合、前記操作手段の操作を遊技者に促す第１操作促進表示演出を前記表示手段に所定期間、表示させ、
Ｂ３　前記所定期間に前記操作手段が操作された場合、操作演出を実行し、
Ｂ４’’前記第１操作促進表示演出に少なくとも一部が重複する位置に前記可動部材を移動させた状態で操作促進表示演出を前記操作手段に表示する場合と、
Ｂ５’’前記第１操作促進表示演出と重複しない位置に前記可動部材を移動させた状態で操作促進表示演出を前記操作手段に表示する場合とがある遊技機。」
　の点で一致し、次の点で相違する。
　
［相違点１’］（構成Ｂ２）
　変動演出の実行中に操作手段の操作を促す場合に所定期間表示される操作促進表示演出に関して、
　本願発明は、第１操作促進表示演出を表示手段に表示させるとともに、操作手段の操作を遊技者に促す第２操作促進表示演出を操作手段に表示させるるのに対して、
　刊行物発明は、第１操作促進表示演出を表示手段に表示させるが、操作手段の操作を遊技者に促す第２操作促進表示演出を操作手段に表示させるか否か明らかでない点。
　
［相違点２’］（構成Ｂ４、Ｂ５）
　第１操作促進表示演出に少なくとも一部が重複する位置に可動部材を移動させた状態、及び、第１操作促進表示演出と重複しない位置に可動部材を移動させた状態で表示される操作促進表示演出に関して、
　本願発明は、第２操作促進表示演出であるのに対して、
　刊行物発明は、第１操作促進演出が表示されるが、第２操作促進演出が表示されるか否か明らかでない点。
  　
　そして、相違点１’〜相違点２’についての判断は、本願発明が、本願補正発明における発明特定事項の限定を解除するものであることからみて、前記「第２　３（４）当審における判断」における相違点１〜相違点２についての判断と同様である。
　したがって、本願発明は、刊行物発明及び刊行物１に記載された技術事項に基づいて当業者が容易に発明をすることができたものである。
　
　４　むすび 
　以上のとおりであるから、本願発明は、特許法第２９条第２項の規定により特許を受けることができない。
　
　よって、結論のとおり審決する。